【手続補正書】
【提出日】平成20年11月25日(2008.11.25)
【手続補正１】
【補正対象書類名】特許請求の範囲
【補正対象項目名】全文
【補正方法】変更
【補正の内容】
【特許請求の範囲】
【請求項１】
ケーブル支持具に取付ける少なくとも１本以上のケーブルを支持することができる、対向する上部部位にケーブル支持部が形成されたケーブル支持カップと、このケーブル支持カップの下端部に下方へ突出するように取付けられた筒状の支持軸と、この支持軸の上下端部より上下部へ突出する回転可能な回転軸と、前記ケーブル支持カップ内の前記回転軸に取付けられた、該ケーブル支持カップ内に挿入されたケーブル支持具のビニタイを巻き付けるためのプロペラとからなることを特徴とするケーブル取付装置。
【請求項２】
ケーブル支持具に取付ける少なくとも１本以上のケーブルを支持することができる、対向する上部部位にケーブル支持部が形成された上部が順次拡開するケーブル支持カップと、このケーブル支持カップの下端部に下方へ突出するように取付けられた筒状の支持軸と、この支持軸の上下端部より上下部へ突出する回転可能な回転軸と、この回転軸の下端部に取付けられた、該回転軸を回転させるハンドルあるいは駆動装置と、前記ケーブル支持カップ内の前記回転軸に取付けられた、該ケーブル支持カップ内に挿入されたケーブル支持具のビニタイを巻き付けるためのプロペラとからなることを特徴とするケーブル取付装置。
【請求項３】
ケーブル支持具に取付ける少なくとも１本以上のケーブルを支持することができる、対向する上部部位にケーブル支持部が形成された上部が順次拡開するケーブル支持カップと、このケーブル支持カップの下端部に下方へ突出するように取付けられた筒状の支持軸と、この支持軸の上下端部より上下部へ突出する回転可能な回転軸と、前記ケーブル支持カップ内の前記回転軸に取付けられた、該ケーブル支持カップ内に挿入されたケーブル支持具のビニタイを巻き付けるためのプロペラと、前記支持軸の上部寄りの部位に取付けられた、前記ケーブル支持カップのケーブル挿入溝の外側部位でケーブルを支持するケーブル支持金具とからなることを特徴とするケーブル取付装置。
【請求項４】
ケーブル支持具に取付ける少なくとも１本以上のケーブルを支持することができる、対向する上部部位にケーブル支持部が形成された上部が順次拡開するケーブル支持カップと、このケーブル支持カップの下端部に下方へ突出するように取付けられた筒状の支持軸と、この支持軸の上下端部より上下部へ突出する回転可能な回転軸と、この回転軸の下端部に取付けられた、該回転軸を回転させるハンドルあるいは駆動装置と、前記ケーブル支持カップ内の前記回転軸に取付けられた、該ケーブル支持カップ内に挿入されたケーブル支持具のビニタイを巻き付けるためのプロペラと、前記支持軸の上部寄りの部位に取付けられた、前記ケーブル支持カップのケーブル挿入溝の外側部位でケーブルを支持するケーブル支持金具とからなることを特徴とするケーブル取付装置。
【手続補正２】
【補正対象書類名】明細書
【補正対象項目名】全文
【補正方法】変更
【補正の内容】
【発明の詳細な説明】
【発明の名称】ケーブル取付装置
【技術分野】
【０００１】
本発明は高さ３ｍ前後の天井スラブ面にケーブルを配線する場合に使用されるケーブル取付装置に関する。
【背景技術】
【０００２】
従来、ビニタイ（ケーブル結束具の一種で、針金をプラッチックフイルムで被ったもの）を吊り下げることができる吊り下げ片に、ビニタイ挿入孔が形成されたケーブル支持具を天井スラブ面脚立を用いて固定し、取付けるケーブルをケーブル支持具のビニタイ挿入孔に挿入したビニタイを巻き付けて取付けていた。
【０００３】
このため、脚立上で上を向いての作業であるため、危険で、作業性が悪いという欠点があった。  
また、ケーブル支持具の吊り下げ片はビニタイを吊り下げるだけのために使用されているため、幅寸法が小さく、ケーブルの支持台にならず、きれいにケーブル支持具にケーブルを取付けることができないという欠点があった。
【特許文献１】特になし
【発明の開示】
【発明が解決しようとする課題】
【０００４】
本発明は以上のような従来の欠点に鑑み、ケーブルをきれいに取付けることができるとともに、その取付け作業を脚立を用いることなく、安全に床面より簡単な操作で、容易に行なうことができるケーブル取付装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はケーブル支持具に取付ける少なくとも１本以上のケーブルを支持することができる、対向する上部部位にケーブル支持部が形成されたケーブル支持カップと、このケーブル支持カップの下端部に下方へ突出するように取付けられた筒状の支持軸と、この支持軸の上下端部より上下部へ突出する回転可能な回転軸と、前記ケーブル支持カップ内の前記回転軸に取付けられた、該ケーブル支持カップ内に挿入されたケーブル支持具のビニタイを巻き付けるためのプロペラとでケーブル取付装置を構成している。
【０００７】
本発明はケーブル支持具に取付ける少なくとも１本以上のケーブルを支持することができる、対向する上部部位にケーブル支持部が形成された上部が順次拡開するケーブル支持カップと、このケーブル支持カップの下端部に下方へ突出するように取付けられた筒状の支持軸と、この支持軸の上下端部より上下部へ突出する回転可能な回転軸と、この回転軸の下端部に取付けられた、該回転軸を回転させるハンドルあるいは駆動装置と、前記ケーブル支持カップ内の前記回転軸に取付けられた、該ケーブル支持カップ内に挿入されたケーブル支持具のビニタイを巻き付けるためのプロペラとでケーブル取付装置を構成している。
【０００８】
本発明はケーブル支持具に取付ける少なくとも１本以上のケーブルを支持することができる、対向する上部部位にケーブル支持部が形成された上部が順次拡開するケーブル支持カップと、このケーブル支持カップの下端部に下方へ突出するように取付けられた筒状の支持軸と、この支持軸の上下端部より上下部へ突出する回転可能な回転軸と、前記ケーブル支持カップ内の前記回転軸に取付けられた、該ケーブル支持カップ内に挿入されたケーブル支持具のビニタイを巻き付けるためのプロペラと、前記支持軸の上部寄りの部位に取付けられた、前記ケーブル支持カップのケーブル挿入溝の外側部位でケーブルを支持するケーブル支持金具とでケーブル取付装置を構成している。
【０００９】
本発明はケーブル支持具に取付ける少なくとも１本以上のケーブルを支持することができる、対向する上部部位にケーブル支持部が形成された上部が順次拡開するケーブル支持カップと、このケーブル支持カップの下端部に下方へ突出するように取付けられた筒状の支持軸と、この支持軸の上下端部より上下部へ突出する回転可能な回転軸と、この回転軸の下端部に取付けられた、該回転軸を回転させるハンドルあるいは駆動装置と、前記ケーブル支持カップ内の前記回転軸に取付けられた、該ケーブル支持カップ内に挿入されたケーブル支持具のビニタイを巻き付けるためのプロペラと、前記支持軸の上部寄りの部位に取付けられた、前記ケーブル支持カップのケーブル挿入溝の外側部位でケーブルを支持するケーブル支持金具とでケーブル取付装置を構成している。
【発明の効果】
【００１０】
以上の説明から明らかなように、本発明にあっては次に列挙する効果が得られる。
【００１１】
（１）ケーブル支持具に取付ける少なくとも１本以上のケーブルを支持することができる、対向する上部部位にケーブル支持部が形成されたケーブル支持カップと、このケーブル支持カップの下端部に下方へ突出するように取付けられた筒状の支持軸と、この支持軸の上下端部より上下部へ突出する回転可能な回転軸と、前記ケーブル支持カップ内の前記回転軸に取付けられた、該ケーブル支持カップ内に挿入されたケーブル支持具のビニタイを巻き付けるためのプロペラとで構成されているので、複数本のケーブルをケーブル支持カップに支持させて、支持軸でケーブル支持具をケーブル支持カップが覆うように位置させ、回転軸を回転させることにより、ケーブル支持具のビニタイを巻き付けて複数本のケーブルをケーブル支持具に取付けることができる。
したがって、従来のように脚立を用いることなく、床面より行なうことができるので、安全で、短時間にケーブルの取付け作業を行なうことができる。
【００１２】
（２）前記（１）によって、ケーブル支持カップに取付ける複数本のケーブルを支持させる作業と、この状態のケーブル支持カップを支持軸で持ち上げ、ケーブル支持具を覆うように位置させる作業と、この状態で回転軸を回転させる作業とで複数本のケーブルをケーブル支持具にビニタイで巻き付けて取付けることができる。
したがって、熟練者でなくても、誰でもが容易に確実にケーブルを天井スラブ面に取付けることができる。
【００１３】
（３）前記（１）によって、構造が簡単で、容易に製造することができる。
【００１４】
（４）請求項２も前記（１）〜（３）と同様な効果が得られるとともに、回転軸を回転させるハンドルあるいは駆動装置によって回転軸を効率よく回転させて、ビニタイを巻き付けることができる。
【００１５】
（５）請求項３も前記（１）〜（３）と同様な効果が得られるとともに、ケーブル支持アームによって、より安定状態で複数本のケーブルを支持することができる。
【００１６】
（６）請求項４も前記（１）〜（５）と同様な効果が得られる。
【発明を実施するための最良の形態】
【００１７】
以下、図面に示す本発明を実施するための最良の形態により、本発明を詳細に説明する。
【００１８】
図１ないし図１１に示す本発明を実施するための最良の第１の形態において、１は高さ３ｍ前後の天井スラブ面に固定されるケーブル支持具で、このケーブル支持具１には床面からの作業で、少なくとも２本以上のケーブル２、２をケーブル取付装置３を用いてビニタイ４を巻き付けて取付けできるように構成されている。
【００１９】
前記ケーブル支持具１は図１および図２に示すように複数本のタッピングビス５等によって、天井スラブ面に固定される円板状のケーブル支持具本体６と、このケーブル支持具本体６の端部寄りの部位を除く部位に下方へ突出するように台形状に形成された、少なくとも２本以上のケーブル２、２を並列状態で支持することができるケーブル支持台７と、このケーブル支持台７に支持されるケーブル２、２をビニタイ４で巻き付け状態で取付けられるように形成されたビニタイ挿入孔８とで構成されている。
【００２０】
前記ケーブル取付装置３は図３ないし図８に示すように先端部が拡開し、前記ケーブル支持具１のケーブル支持具本体６を覆うことができる図７に示すケーブル支持カップ９と、このケーブル支持カップ９の対向する上部部位に形成された、少なくとも１本以上のケーブル２を支持することができるケーブル支持部としてのケーブル挿入溝１０、１０と、前記ケーブル支持カップ９の下端部に下方へ突出するように取付けられた筒状の支持軸１１と、この支持軸１１の上下端部より上下部へ突出するように軸受１２、１２を介して回転可能に取付けられた回転軸１３と、この回転軸１３の下端部に取付けられた、該回転軸１３を回転駆動させる電動ドライバー等に使用されている駆動装置１４と、前記ケーブル支持カップ９内の前記回転軸１３に取付けられた図８に示す十字状のプロペラ１５と、前記支持軸１１の上部寄りの部位に固定状態で取付けられた両端部の突出片１６、１６が前記ケーブル支持カップ９のケーブル挿入溝１０、１０と対応する部位に位置するケーブル支持アーム１７、このケーブル支持アーム１７の突出片１６、１６の上面に固定されたケーブル支持板１８、１８、
このケーブル支持板１８、１８にそれぞれ常時スプリング１９、１９、１９、１９で上方へ突出するように付勢された一対のケーブルガイド片２０、２０、２０、２０とからなるケーブル支持金具２１とで構成されている。
【００２１】
上記構成のケーブル支持具１のケーブル支持台７のビニタイ挿入孔８にビニタイ４を挿入して、図２に示すようにビニタイ４がコ字状となるように設置しておく。
しかる後、図９に示すように配線する１本〜５本のケーブル２をケーブル取付装置３のケーブル支持金具２１の２対のケーブルガイド片２０、２０、２０、２０およびケーブル支持カップ９の一対のケーブル挿入溝１０、１０に挿入して支持させる。
次に、この状態を保って図１０に示すように支持軸１１でケーブル支持カップ９の上端部でケーブル支持具１を覆うように位置させるとともに、ケーブル２を引張ってたるみを除去し、ケーブル支持具１にコ字状に取付けられたビニタイ４はケーブル支持カップ９内に入り込み、十字状のプロペラ１５間に入り込む。
この状態で駆動装置１４を駆動させて回転軸１３およびプロペラ１５を回転させると、ビニタイ４の先端部側が巻き付けられ、ケーブル支持カップ９に支持されたケーブル２は、図１１に示すようにケーブル支持具１のケーブル支持台７に支持された状態で取付けることができる。
[発明を実施するための異なる形態]
【００２２】
次に、図１２ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１２ないし図１４に示す本発明を実施するための第２の形態において、前記本発明を実施するための最良の第１の形態と主に異なる点は、透明な合成樹脂材で形成したケーブル支持カップ９Ａを支持軸１１に螺合固定できるようにするとともに、ケーブル支持金具２１Ａのケーブル支持アーム１７を支持軸１１に固定ボルト２２で位置決め状態で固定できるようにした点で、このように構成したケーブル取付装置３Ａにしても、前記本発明を実施するための最良の第１の形態と同様な作用効果が得られるとともに、ビニタイ４の巻き付け作業時にプロペラ１５間にビニタイ４の両端部が入り込むようにケーブル支持カップ９Ａ内を見ながら行なうことができる。
【００２４】
図１５ないし図１７に示す本発明を実施するための第３の形態において、前記本発明を実施するための最良の第１の形態と主に異なる点は、ケーブル支持カップ９Ｂの対向する部位にケーブル支持部としての２対の突片２３、２３、２３、２３を形成した点で、このように構成したケーブル取付装置３Ｂにしても、前記本発明を実施するための最良の第１の形態と同様な作用効果が得られる。
本発明を実施する形態では２対の突片２３、２３、２３、２３を必要に応じて常時付勢スプリングで上方へ付勢できるものを用いてもよい。
【００２５】
なお、前記本発明を実施する各形態ではケーブル支持金具２１、２１Ａを用いるものについて説明したが、本発明はこれに限らず、ケーブル支持金具を用いないものであってもよい。
また、回転軸１３を駆動装置１４で駆動させるものについて説明したが、本発明はこれに限らず、クランク状のハンドル等によって手動で回転させるものを用いてもよい。
さらに、前記本発明を実施する形態では十字状のプロペラを用いるものについて説明したが、ビニタイを巻き付けられるものであれば、どんな形状のものであってもよい。
【産業上の利用可能性】
【００２６】
本発明はケーブル支持具およびケーブル取付装置を製造する産業で利用される。
【図面の簡単な説明】
【００２７】
【図１】本発明のケーブル支持具の斜視図。
【図２】図１の２−２線に沿う断面図。
【図３】本発明のケーブル取付装置の正面図。
【図４】本発明のケーブル取付装置の側面図。
【図５】本発明のケーブル取付装置の拡大平面図。
【図６】図４の６−６線に沿う部分破断断面図。
【図７】ケーブル支持カップの説明図。
【図８】プロペラの説明図。
【図９】ケーブルの支持状態の説明図。
【図１０】ケーブルの取付け時の説明図。
【図１１】ケーブルの取付け状態の説明図。
【図１２】本発明を実施するための第２の形態の正面図。
【図１３】本発明を実施するための第２の形態の側面図。
【図１４】図１３の１４−１４線に沿う断面図。
【図１５】本発明を実施するための第３の形態の正面図。
【図１６】本発明を実施するための第３の形態の側面図。
【図１７】図１６の１７−１７線に沿う断面図。
【符号の説明】
【００２８】
１：ケーブル支持具、                    ２：ケーブル、
３、３Ａ、３Ｂ：ケーブル取付装置、
４：ビニタイ、                                ５：タッピングビス、        
６：ケーブル支持具本体、                        ７：ケーブル支持台、
８：ビニタイ挿入孔、
９、９Ａ、９Ｂ：ケーブル支持カップ、
１０：ケーブル挿入溝、                １１：支持軸、
１２：軸受、                                                １３：回転軸、
１４：駆動装置、                            １５：プロペラ、
１６：突出片、                                １７：ケーブル支持アーム、
１８：ケーブル支持板、                １９：スプリング、
２０：ケーブルガイド片、                        ２１、２１Ａ：ケーブル支持金具、
２２：固定ボルト、                                    ２３：突片。